(57)【特許請求の範囲】
【請求項１】
一組の引手（10）を竪框（Ｂ）の室内壁（b1）に嵌挿係止する内引手体（１）と、竪框室外壁（b2）に嵌挿係止する外引手体（２）から構成する一方、一組の施錠操作装置（20）を内引手体（１）に並列して嵌挿係止する内操作体（３）と、外引手体（２）に並列して嵌挿係止する外操作体（４）から構成し、且つ内引手体（１）と外引手体（２）、内操作体（３）と外操作体（４）の夫々を一体に、しかも内引手体（１）と外引手体（２）を上下反転して左右勝手自在に固定し得るようにすると共に、施錠操作装置（20）に内外操作体（３，４）から開閉し得る錠箱（５）を取付ける障子用錠付き引手。
【発明の詳細な説明】
【０００１】
【産業上の利用分野】
この発明は、引戸や障子に取付ける錠付き引手に関するものである。
【０００２】
【従来の技術】
軽金属製押出し型材を用いて構成する引戸や障子において、竪框に取付ける引手は、通常、竪框の室内壁と室外壁に分けて取付けるものであるから、左勝手用と右勝手用の二種類が提供されていた。
また引戸や障子に取付ける錠は、竪框の端面に窓孔を穿設し、該窓孔より竪框内部に錠箱を挿入固定し、竪框の室内外壁より錠箱に操作ノブの軸棒を挿入係止するか、錠箱の施錠装置を竪框の室内壁と室外壁に分けて取付け、その施錠装置と錠箱を係止し、錠を開閉していた。（例えば実開昭５３−９３９３８号公報、実開昭５４−２０５３６号公報、実開昭５４−１７３８９８  号公報、実開昭５９−１８５３７７  号公報）
【０００３】
【発明が解決しようとする課題】
引手を左勝手用と右勝手用に構成すると共に、施錠装置も左勝手用と右勝手用に構成しておき、それらを目的に応じて選択使用すると、その分高価になるし、引手と施錠装置を別々に取付けると、取付けが面倒になる問題点があった。
そこでこの発明は、従来技術の有するこのような問題点に鑑みてなされたものであり、その目的とするところは、引手と施錠操作装置を並列に、しかも左右勝手自在に取付け得るようにした障子用錠付き引手を提供することにある。
【０００４】
【課題を解決するための手段】
上記目的を達成するために、本発明の障子用錠付き引手は、一組の引手を竪框室内壁に嵌挿係止する内引手体と、竪框室外壁に嵌挿係止する外引手体から構成する一方、一組の施錠操作装置を内引手体に並列して嵌挿係止する内操作体と、外引手体に並列して嵌挿係止する外操作体から構成し、且つそれらの内引手体と外引手体、及び内操作体と外操作体の夫々を一体に、しかも左右勝手自在に固定し得るようにすると共に、施錠操作装置に内外操作体から開閉し得る錠箱を取付けるものである。
【０００５】
【作用】
竪框の室内壁に内引手体と内操作体を並列して嵌挿係止し、竪框室外壁に外引手体と外操作体を並列して嵌挿係止し得るので、引手と施錠操作装置を能率良くコンパクトに取付け得る。しかも内引手体と外引手体、及び内操作体と外操作体は、左右勝手自在に取付け可能であるから、一組の引手と、一組の施錠操作装置にて錠付き引手を構成し得る。
【０００６】
【実施例】
まず障子竪框の構造を図７に基づき説明すれば、竪框Ｂは室内壁ｂ１と室外壁ｂ２の外周に側端壁ｂ３を設け、その内周に仕切壁ｂ４を平行に設ける一方、室内壁ｂ１と室外壁ｂ２の内周側に内向溝Ｃを形成し、仕切壁ｂ４と内向溝Ｃの間に中空部ｂを形成するもので、室内壁ｂ１と室外壁ｂ２に、一組の引手１０と、一組の施錠操作装置２０を並列に嵌挿し得る大きさの抜孔ｅ１，ｅ２を相対設し、側端壁ｂ３と仕切壁ｂ４に錠箱５の大きさに応じた嵌挿孔ｆ３，ｆ４を連通状態で穿設する。
【０００７】
次に本発明による障子用錠付き引手の構造例を図１乃至図６に基づき説明すれば、竪框室内壁ｂ１の抜孔ｅ１と室外壁ｂ２の抜孔ｅ２に分けて嵌挿係止する一組の引手１０と、同じ竪框室内壁ｂ１の抜孔ｅ１と室外壁ｂ２の抜孔ｅ２に、前記引手１０と並列して嵌挿係止する一組の施錠操作装置２０、及び竪框Ｂの側端壁ｂ３と仕切壁ｂ４に穿設した嵌挿孔ｆ３，ｆ４に嵌挿固定し、施錠操作装置２０にて開閉する錠箱５から構成するものである。
【０００８】
一組の引手１０を竪框室内壁ｂ１の抜孔ｅ１に嵌挿係止する内引手体１と、室外壁ｂ２の抜孔ｅ２に嵌挿係止する外引手体２から構成する一方、一組の施錠操作装置２０も竪框室内壁ｂ１の抜孔ｅ１に嵌挿係止する内操作体３と、室外壁ｂ２の抜孔ｅ２に嵌挿係止する外操作体４から構成し、且つそれらの内引手体１と外引手体２、及び内操作体３と外操作体４の夫々を一体に、しかも左右勝手自在に固定し得るようにしたものである。
【０００９】
引手１０を構成する内引手体１は図３（Ａ）（Ｂ）と図４（Ａ）の如く、竪框厚さＴの１／２より僅かに薄厚さの縦長胴部１１に、表面より内部に食込む手掛り凹部１２を設け、凹部１２の一側に厚さの一定する側壁１ａを形成し、側壁１ａの形成部を除く胴部１１の外縁に鍔片１ｂを突設すると共に、側壁１ａの上部に鍔片１ｂの厚さに応じた凹段部１ｃを設け、胴部１１の上下部に薄肉の取付部１３を形成するものである。
【００１０】
外引手体２は図３（Ｃ）（Ｄ）と図４（Ｂ）の如く、前記内引手体１と同様の縦長胴部２１に同様の手掛り凹部２２を設け、凹部２２の一側に厚さの一定する側壁２ａを形成し、側壁２ａの形成部を除く胴部２１の外縁に鍔片２ｂを突設すると共に、側壁２ａの上部に鍔片２ｂの厚さに応じた凹段部２ｃを設け、胴部２１の上下部に内引手体１の取付部１３に向けて突出する筒脚２３を形成するものである。
【００１１】
外引手体２の手掛り凹部２２は内引手体１の手掛り凹部１２と略対称を成すので、内引手体１と外引手体２の上下を反転し、両引手体１，２を図１０の如く竪框室内壁ｂ１と室外壁ｂ２の抜孔ｅ１，ｅ２に嵌挿した後、内引手体１の取付部１３より外引手体２の筒脚２３にネジＳを螺入して固定し、することにより、左勝手と右勝手の何ずれにも取付け可能である。
【００１２】
施錠操作装置２０を構成する内操作体３は図５（Ａ）（Ｂ）の如く、内引手体１と同じ長さの縦長本体３ａの上下部に、室内向きに開口する凹溝部３１を設け、両凹溝部３１に縦長孔３３を夫々穿設し、上下端部に薄肉の取付部３２を設け、本体３ａの表面側外周に鍔片３ｂを突設するもので、縦長孔３３に操作板６を上下摺動可能に嵌挿し、鍔片４ｂの一縁を内引手体１の凹段部１ｃに重なるように並列して嵌挿する。
操作板６は内操作体３の縦長孔３３より大きい滑板６ａの中央部に、縦長孔３３より凹溝部３１に露出する摘み６ｂを突出し、滑板６ａの裏側に上向鈎片６ｃと下向鈎片６ｄを設け、上向鈎片６ｃを錠箱５に、下向鈎片６ｄを後記スライド板９に係止するか、反対に図８の如く上向鈎片６ｃをスライド板９に、下向鈎片６ｄを錠箱５に係止するものである。
【００１３】
施錠操作装置２０を構成する外操作体４は図５（Ｃ）（Ｄ）と図６の如く、内操作体３と同じ長さを成す縦長本体４ａの上下端部に、内操作体３の取付部３２に向けて突出する筒脚４３を設け、本体４ａの中央部裏側の上下二カ所に隆起部４１を適宜離して設け、該隆起部４１に鍵Ｋにて回動する錠孔体８と、錠孔体８の回動にて上下摺動するスライド板９を設け、本体４ａの表面側外周に鍔片４ｂを突設するもので、鍔片４ｂの一縁を外引手体２の凹段部２ｃに重なるように並列して嵌挿係止し、筒脚２６に内操作体３の取付部３２よりネジＳを螺入して固定する。
【００１４】
スライド板９は少なくとも一端に操作板６の上向鈎片６ｃ、または下向鈎片６ｄに係止する突爪９ｂを有している。
スライド板９の上下手段として、例えば図６と図９の如く外操作体隆起部４１の先部に上下方向の案内凹溝４２を設け、該案内凹溝４２にスライド板９を嵌挿し、隆起部４１の先に取付ける押板４４にて離脱不能に保持する一方、スライド板９に横長孔９ａを穿設し、錠孔体８の底にスライド板９の横長孔９ａに挿入する偏心凸条８ａを設け、スライド板９を上下摺動する。
【００１５】
施錠操作装置２０に取付ける錠箱５は図７と図８の如く、竪框側端壁ｂ３の嵌挿孔ｆ３より仕切壁嵌挿孔ｆ４に挿入し、中空部ｂに至る箱体５ａに、外操作体４の筒脚４３が挿入する取付孔５１と、操作板６の下向鈎片６ｄに係止する作動爪５２を設け、作動爪５２に連動して錠棒５３を出没するものである。
竪框Ｂの室内壁ｂ１と室外壁ｂ２に穿設する抜孔ｅ１，ｅ２は、竪框Ｂに取付ける錠箱５に対応して穿設するもので、具体的には錠箱５の取付孔５１と作動爪５２に対応して穿設する。
【００１６】
尚、本発明による障子用錠付き引手は上記実施例に限定されるものではなく、例えば内引手体胴部１１と外引手体胴部２１の一側に楔爪１４，２４を突設し、竪框Ｂの抜孔ｅ１，ｅ２に内引手体１と外引手体２を嵌挿した際、竪框Ｂの室内外壁ｂ１，ｂ２に楔爪１４，２４が係止することが望ましい。また一組の引手１０を構成する内引手体１と外引手体２、及び一組の施錠操作装置２０を構成する内操作体３と外操作体４の形状構造、更に操作板６と錠孔体８、及びスライド板９の保持手段、スライド板９の上下摺動手段等は本発明の要旨に反しない限り適宜変更可能である。
【００１７】
【発明の効果】
本発明による障子用錠付き引手は上記構造のとおりであるから、次に記載する効果を奏する。
竪框室内壁に穿設した抜孔に内引手体と内操作体を並列に嵌挿係止し、竪框室外壁に穿設した抜孔に外引手体と外操作体を並列して嵌挿係止するものであるから、引手と施錠操作装置をコンパクトに能率良く取付けることができるし、取付後の体裁も向上する。
【００１８】
しかも外引手体と内引手体の手掛り凹部は略対称を成すので、内引手体と外引手体の上下を反転して嵌挿し、内引手体の取付部より外引手体の筒脚にネジを螺入すれば、左勝手と右勝手の何ずれにも取付け可能である。
また内操作体と外操作体も左右勝手自在に取付け可能であるから、錠箱の取付けも至って簡単容易である。その結果、一組の引手と、一組の施錠操作装置を提供すればよいので、錠付き引手を安価に提供できる。
【図面の簡単な説明】
【図１】（Ａ）（Ｂ）
本発明による障子用錠付き引手の要部構造を示す一部切欠正面図と側面図である。
【図２】（Ａ）（Ｂ）
外引手体と外操作体の連設状態を示す側面図と、錠付き引手の取付例を示す要部側面図である。
【図３】（Ａ）（Ｂ）（Ｃ）（Ｄ）
内引手体の正面図と一部切欠側面図、及び外引手体の正面図と一部切欠側面図である。
【図４】（Ａ）（Ｂ）
手掛り凹部の形成例を示す内外引手体の拡大断面図である。
【図５】（Ａ）（Ｂ）（Ｃ）（Ｄ）
内操作体の正面図と一部切欠側面図、及び外操作体の正面図と一部切欠側面図である。
【図６】（Ａ）（Ｂ）
錠孔体の取付例とスライド板の嵌挿例を示す拡大断面図である。
【図７】（Ａ）（Ｂ）（Ｃ）（Ｄ）
竪框に対する引手と施錠操作装置、及び錠箱の取付例を示す断面図である。
【図８】（Ａ）（Ｂ）
錠箱の取付例を示す要部正面図と拡大断面図である。
【図９】（Ａ）（Ｂ）
スライド板の摺動例を示す作動図である。
【図１０】（Ａ）（Ｂ）
引手と施錠操作装置の取付例を示す断面図である。
【図１１】（Ａ）（Ｂ）
引手と施錠操作装置の組合わせ例を示す断面図である。
【符号の説明】
１０  引手
１  内引手体
２  外引手体
２０  施錠操作装置
３  内操作体
４  外操作体
５  錠箱
６  操作板
８  錠孔体
９  スライド板
１１，２１  胴部、１２，２２  手掛り凹部
３１  凹溝部、３２  縦長孔
Ｂ  竪框、ｂ１  室内壁、ｂ２  室外壁
Ｋ  鍵、Ｓ  ネジ
Ｔ  竪框厚さ
【図１】
0003589721.tif 000002
【図２】
0003589721.tif 000003
【図３】
0003589721.tif 000004
【図４】
0003589721.tif 000005
【図５】
0003589721.tif 000006
【図６】
0003589721.tif 000007
【図７】
0003589721.tif 000008
【図８】
0003589721.tif 000009
【図９】
0003589721.tif 000010
【図１０】
0003589721.tif 000011
【図１１】
0003589721.tif 000012